(57)【要約】【課題】河川の水をせき止める際に、作業の負担を低減し、河川が汚濁するのを抑制することである。【解決手段】発明にかかる止水箱１を、底壁１１と周壁とを有して上方が開口する箱本体１０と、箱本体１０の周壁下部に設けられた開閉可能な注出入口２０と、箱本体１０と隣接する他の箱本体１０とを接続可能な接続部３０と、を備えるものとしたのである。内部が空洞で土のうよりもはるかに軽量の止水箱１を、河川まで運び隣接する他の止水箱１と接続部３０により順次接続し、注出入口２０および開口から水を導入してその箱本体１０を沈下させることにより簡単に仮設堰を設置することができる。土のうや重機を用いないため、河川の汚濁も抑制される。【選択図】図１
2018066208.tif 000002
【特許請求の範囲】
【請求項１】
底壁と底壁から立ち上がる周壁とを有して上方が開口する箱本体と、
前記箱本体の底壁または周壁下部に設けられた開閉可能な注出入口と、
前記箱本体を隣接する他の箱本体と接続可能な接続部と、を備える止水箱。
【請求項２】
前記箱本体の周壁は、対向一対の側壁および対向一対の端壁とからなり、
前記接続部は、前記端壁の両側から張り出すフランジと、前記フランジに形成されたボルト挿通孔と、からなり、
前記箱本体の端壁を他の箱本体の端壁と重ね合わせ、重なり合う前記フランジのボルト挿通孔を通じてボルト止めすることにより、前記箱本体と他の箱本体とを接続可能な請求項１に記載の止水箱。
【請求項３】
前記箱本体の底壁の下面に、水密ゴムが設けられている請求項１または２に記載の止水箱。
【請求項４】
請求項１から３のいずれかに記載の複数の止水箱を前記箱本体が前記接続部により接続された状態で河川上に浮かべる工程と、
前記注出入口を開いて河川の水を前記箱本体の内部に導入し前記箱本体を下降させる工程と、
前記注出入口を閉じて前記開口を通じて水を前記箱本体の内部に導入し、箱本体の底壁が河川の底に接地するまで沈下させる工程と、を含む仮設堰の構築方法。
【発明の詳細な説明】
【技術分野】
【０００１】
本発明は、河川等において水をせき止めるのに用いられる仮設堰に関する。
【背景技術】
【０００２】
河川内において工事をおこなう際には、工事をおこなう箇所で水をせき止める必要があるが、従来は仮設進入路を確保したうえで、比較的大型の土のうを積み上げて仮設堰（締切）を構築するのが一般的であった（特許文献１）。
【０００３】
しかし、比較的大型の土のうは重量が非常に大きいため、重機を用いて搬入、移動、撤去等をおこなう必要があり、作業の負担が大きかった。また、土のうや重機を用いることに伴ない、河川の汚濁を招く問題もあった。
【先行技術文献】
【特許文献】
【０００４】
【特許文献１】実用新案登録第３１９９０６３号公報
【発明の概要】
【発明が解決しようとする課題】
【０００５】
そこで本発明の解決すべき課題は、河川の水をせき止める際に、作業の負担を低減し、河川が汚濁するのを抑制することである。
【課題を解決するための手段】
【０００６】
上記した課題を解決するため、発明にかかる止水箱を、底壁と底壁から立ち上がる周壁とを有して上方が開口する箱本体と、前記箱本体の底壁または周壁下部に設けられた開閉可能な注出入口と、前記箱本体を隣接する他の箱本体と接続可能な接続部と、を備えるものとしたのである。
【０００７】
また上記した課題を解決するため、発明にかかる仮設堰の構築方法を、複数の止水箱を前記接続部により前記箱本体が接続された状態で河川上に浮かべる工程と、前記注出入口を開いて河川の水を前記箱本体の内部に導入し前記箱本体を下降させる工程と、前記注出入口を閉じて前記開口を通じて水を前記箱本体の内部に導入し、箱本体の底壁が河川の底に接地するまで沈下させる工程と、を含むものとしたのである。
【０００８】
このようにすると、内部が空洞で土のうよりもはるかに軽量の止水箱を、河川まで運び隣接する他の止水箱と箱本体同士を接続部で順次接続し、注出入口および開口から水を導入してその箱本体を沈下させることにより簡単に仮設堰を設置することができる。
また、仮設堰を設置した状態から、注出入口を開いて箱本体内部の水を排出すると、止水箱は自動的に浮き上がるため、その後、箱本体に残存した水をポンプ等で吸い上げるなどして、簡単に仮設堰を撤去することができる。
軽量の止水箱は取り扱いが容易であり、重機を用いる必要がないため、土のうなどを用いる場合と比較して仮設堰構築に要する作業の負担が低減される。また、仮設堰の構築に際し、土のうや重機を用いないため、河川の汚濁も抑制される。
【０００９】
発明にかかる止水箱としては、前記箱本体の周壁は、対向一対の側壁および対向一対の端壁とからなり、前記接続部は、前記端壁の両側から張り出すフランジと、前記フランジに形成されたボルト挿通孔と、からなり、前記箱本体の端壁を他の箱本体の端壁と重ね合わせ、重なり合う前記フランジのボルト挿通孔を通じてボルト止めすることにより、前記箱本体と他の箱本体とを接続可能に構成するのが構造が簡単であるため好ましい。
【００１０】
また、発明にかかる止水箱としては、前記箱本体の底壁の下面に水密ゴムを設けるのが好ましい。このようにすると、箱本体の底壁が河川の底に接地した際に、水密ゴムの作用によりその箱本体の底壁と河川の底の間から水が漏れ出すことが防止される。
【発明の効果】
【００１１】
発明にかかる止水箱を以上のように構成し、この止水箱を用いて以上のように仮設堰を構築することで、河川の水をせき止める際に、作業の負担を低減し、河川が汚濁するのを抑制される。
【図面の簡単な説明】
【００１２】
【図１】第１実施形態の止水箱の斜視図
【図２】第１実施形態の止水箱の（ａ）は上面図、（ｂ）は側面図、（ｃ）は端面図
【図３】第２実施形態の止水箱の斜視図
【図４】第２実施形態の止水箱の（ａ）は上面図、（ｂ）は側面図、（ｃ）は端面図
【図５】第３実施形態の止水箱の斜視図
【図６】第３実施形態の止水箱の（ａ）は上面図、（ｂ）は側面図、（ｃ）は端面図
【図７】実施形態の仮設堰の正面図
【図８】他の実施形態の仮設堰の正面図
【図９】他の実施形態の仮設堰の上面図
【図１０】実施形態の仮設堰の構築方法を示す模式図
【図１１】実施形態の仮設堰の構築方法を示す模式図
【図１２】実施形態の仮設堰の構築方法を示す模式図
【図１３】実施形態の仮設堰の構築方法を示す模式図
【図１４】実施形態の仮設堰の構築方法を示す模式図
【発明を実施するための形態】
【００１３】
以下、図面を参照しつつ本発明の実施形態について説明する。
図１および図２に示す第１実施形態の止水箱１は、河川内で工事をおこなう箇所において、複数の止水箱を繋げて仮設堰を構築し、水をせき止めるのに用いられる。
第１実施形態の止水箱１は、箱本体１０と、注出入口２０と、接続部３０と、を備える。
【００１４】
図１および図２のように、箱本体１０は、矩形の底壁１１と、底壁１１の両長辺からほぼ垂直に立ち上がる対向一対の矩形の側壁１２と、底壁１１の両短辺からほぼ垂直に立ち上がる対向一対の矩形の端壁１３と、を有し、上方に開口している。底壁１１、側壁１２および端壁１３は、溶接等の適宜手段により連結されている。側壁１２の上端には内向きのリムが形成されている。
箱本体１０は、その開口から内部に水を導入できるようになっており、また内部に導入した水が漏れださないように、ほぼ水密に構成されている。
箱本体１０の材質は特に限定されず、金属、合成樹脂などを選択可能であるが、強度、さびにくさ、コストなどの点でステンレス製であることが好ましい。
箱本体１０の底壁１１の下面には、その両長辺にそって水密ゴム１１ａが設けられている。
【００１５】
図２のように、注出入口２０は、箱本体１０の側壁１２の下部の角隅部に設けられており、この注出入口２０を通じて、箱本体１０の内部に水を導入したり、箱本体１０から外部に水を排出したりできるようになっている。
また注出入口２０は、公知の機構を用いて開閉可能に構成されている。その開閉状態は、バルブレバー２１を操作することにより切り替えられるようになっている。
【００１６】
図１および図２のように、接続部３０は、フランジ３１と、ボルト挿通孔３２を有する。
フランジ３１は、箱本体１０の各端壁１３と同一平面上にあり、かつ各端壁１３の両側（端壁１３と側壁１２が連結される箇所）から張り出している。
貫通孔であるボルト挿通孔３２は、フランジ３１の上下方向に複数が並列して設けられており、ボルトを挿通可能な径を有している。
【００１７】
図３および図４に示す第２実施形態の止水箱２は、その箱本体１０の底壁１１がＬ字型に屈曲した形状をなしており、対向一対の側壁１２もこれに対応して、一方の側壁１２が大きなＬ字型に、他方の側壁１２が小さなＬ字型に、それぞれ屈曲した形状をなしている。箱本体１０の内部は、両側壁１２のＬ字の屈曲点間を繋ぐビーム材により補強されていてもよい。
第２実施形態の止水箱２のその他の構成については、第１実施形態の止水箱１と同様である。
【００１８】
図５および図６に示す第３実施形態の止水箱３は、その箱本体１０の底壁１１が第１実施形態の止水箱１の箱本体の底壁よりも、細長くかつ小さく形成されている。
そして、対向一対の矩形の側壁１２が、一方の側壁１２は底壁１１から垂直に立ち上がっているが、他方の側壁１２は底壁１１から傾斜して立ち上がっている。
これに対応して、両側壁１２間に位置する両端壁１３は、それぞれ台形（直角台形）をなしている。
したがって、箱本体１０全体としては、底壁１１から開口に向けて拡がった形状をなしている。
第３実施形態の止水箱３のその他の構成については、第１実施形態の止水箱１と同様である。
【００１９】
図７に示すように、河川内の工事をおこなう箇所において、第１実施形態の止水箱１から仮設堰Ｄ１が構築される。
図示のように、多数の第１実施形態の止水箱１を、その端壁１３同士が重なり合うように、たとえば河川の両岸の護岸壁Ｗ間を横断する向きに一列に並べ、重なり合うフランジ３１のボルト挿通孔３２にボルトを挿通させて接続部３０をボルト止めし、隣接する止水箱１の箱本体１０同士を接続することにより仮設堰が構築されている。
隣接する止水箱１の箱本体１０は、ほぼ水密に接続されている。また、場合により、水漏れを防止する手段が適宜講じられているものとする。また、箱本体１０の底壁１１の下面には、水密ゴム１１ａが設けられているため、河川の底との間から水が漏れることもない。
このようにして、河川内の工事をおこなう箇所において、水がせき止められる。
【００２０】
図８に示すように、河川の護岸壁Ｗが傾斜している場合など、仮設堰Ｄ２の一部を傾斜させたい場合には、その傾斜させたい箇所に第２実施形態の止水箱２を用いることで対応可能である。
【００２１】
また図９に示すように、河川の一部を局地的に囲い込む場合など、仮設堰Ｄ３の一部を屈曲させたい場合には、その屈曲させたい箇所に第３実施形態の止水箱３を用いることで対応可能である。
【００２２】
図１０から図１２を参照して、第１実施形態の止水箱１から仮設堰Ｄ１を構築する際の手順を説明する。なお、この手順については第２実施形態の止水箱２および第３実施形態の止水箱３についても同様である。
まず図１０のように、接続部３０によって箱本体１０が一列に接続された第１実施形態の止水箱１を、河川上に浮かべる。このとき、注出入口２０は閉じられている。
【００２３】
この状態から、図１１のように、バルブレバー２１を操作して注出入口２０を開く。これにより、注出入口２０を通じて、箱本体１０の内部に河川の水が導入される。
内部への河川の水の導入に伴い、箱本体１０は下降を開始する。この状態において河川の水面Ｓと箱本体１０の内部の水面とは同一高さをなしており、箱本体１０の底壁１１は河川の底Ｂにはまだ接地していない。
【００２４】
つぎに、図１２のように、バルブレバー２１を操作して注出入口２０を閉じる。これにより、注出入口２０を通じた、箱本体１０の内部への河川の水の導入は遮断される。
そのうえで、箱本体１０の開口を通じてポンプなどの適宜手段を用いて箱本体１０の内部に水を導入する。導入する水は、河川の水であってもよいし、水道水など河川外部の水であってもよい。
箱本体１０の開口を通じた水の導入が進むと、箱本体１０の内部の水面の高さは、河川の水面Ｓの高さを超える。この水の重みにより箱本体１０はさらに下降し、その底壁１１が河川の底Ｂに接地した状態に沈下する。このようにして、仮設堰Ｄ１が設置される。
【００２５】
図１２から図１４を参照して、設置された仮設堰Ｄ１を撤去する際の手順を説明する。なお、この手順については第２実施形態の止水箱２および第３実施形態の止水箱３についても同様である。
【００２６】
まず図１２の仮設堰Ｄ１が設置された状態から、図１３のように、バルブレバー２１を操作して注出入口２０を開く。
図１２の状態において、箱本体１０の内部の水面の高さは、河川の水面Ｓの高さを超えているため、注出入口２０を開くと、箱本体１０の内部の水が自重により河川に向けて自動的に排出される。
箱本体１０からの水の排出が進むと、箱本体１０の底壁１１は河川の底Ｂから離れて上昇する。この状態において河川の水面Ｓと箱本体１０の内部の水面とは同一高さをなしている。
【００２７】
つぎに図１４のように、バルブレバーを操作して注出入口２０を閉じる。
そして、ポンプ等の適宜手段を用いて箱本体１０の内部の水を吸い出す。これにより内部の水の重みから解放された箱本体はさらに上昇し、河川の水面上へと浮上する。
この状態で接続部３０による接続を解除し、第１実施形態の止水箱１を順次撤去する。
【００２８】
今回開示された実施形態はすべての点で例示であって制限的なものではない。本発明の範囲は特許請求の範囲によって示され、特許請求の範囲内およびこれと均等の意味でのすべての修正と変形を含む。
【００２９】
たとえば箱本体１０の形状は、底壁１１と底壁１１から立ち上がる周壁とを有し、上方に開口する限りにおいて限定されず、円筒形の周壁を有するようなものであってもよい。
開口の形状も開口を通じて箱本体１０の内部に水を導入可能な限りにおいて限定されず、箱本体１０の上方の全体ではなく一部が開口していてもよい。
【００３０】
接続部３０の構造も、実施形態のフランジ３１とボルト挿通孔３２に限定されず、要するに隣接する箱本体１０同士を接続できる構造であればよい。
実施形態では、注出入口２０を箱本体１０の側壁１２の下部に設けているが、箱本体１０の底壁１１に設けてもよい。
【００３１】
実施形態では、仮設堰を構築するに際して、複数の止水箱の箱本体１０同士を接続部３０で接続した後に、その全体を河川に沈下させているが、止水箱の箱本体１０を個別に沈下させた後に、その箱本体１０同士を接続部で接続してもよい。
【００３２】
また実施形態では、仮設堰を撤去するに際して、複数の止水箱の箱本体１０同士が接続部３０による接続された状態でその全体を河川から浮き上らせ、その後に接続を解除しているが、複数の止水箱の箱本体１０同士の接続部３０による接続を解除した後に個別に河川から浮上させてもよい。
さらに実施形態では、仮設堰を撤去するに際して、注出入口を開けて箱本体１０内部の水を一定程度排出させた後に、注出入口を閉じて箱本体１０内部の水をポンプ等で吸い出すことで箱本体１０を浮上させているが、注出入口を閉じてポンプ等で吸い出す工程を省略し、注出入口を開けたまま箱本体１０を引っ張り上げて。箱本体１０内部の全ての水を注出入口から強制的に排出させてもよい。
仮設堰には、Ｌ字型の本体と、本体のＬ字の両端間を斜めに繋ぐビーム材とからなる支持部材を付属させ、この支持部材の本体を河川の底と箱本体１０の側壁１２とに沿わせて、水圧を受け止められるようにしてもよい。
【符号の説明】
【００３３】
１  第１実施形態の止水箱
２  第２実施形態の止水箱
３  第３実施形態の止水箱
１０  箱本体
１１  底壁
１１ａ  水密ゴム
１２  側壁
１３  端壁
２０  注出入口
２１  バルブレバー
３０  接続部
３１  フランジ
３２  ボルト挿通孔
Ｄ１〜Ｄ３  仮設堰
Ｗ  護岸壁
Ｓ  水面
Ｂ  河川の底
【図１】
2018066208.tif 000003
【図２】
2018066208.tif 000004
【図３】
2018066208.tif 000005
【図４】
2018066208.tif 000006
【図５】
2018066208.tif 000007
【図６】
2018066208.tif 000008
【図７】
2018066208.tif 000009
【図８】
2018066208.tif 000010
【図９】
2018066208.tif 000011
【図１０】
2018066208.tif 000012
【図１１】
2018066208.tif 000013
【図１２】
2018066208.tif 000014
【図１３】
2018066208.tif 000015
【図１４】
2018066208.tif 000016